(57)【要約】【課題】半導体素子を実装した配線基板を透過しての光の漏れを防止することのできる実装構造体、照明装置、および液晶装置を提供すること。【解決手段】液晶装置に用いられる照明装置８において、発光素子３は、光軸Ｌをフレキシブル配線基板７０の基板面に沿う方向に向けてフレキシブル配線基板７０の第１面７１ａ側に実装された実装構造体７として用いられている。実装構造体７において、第１面７１ａ側には、第１パッド７５および第２パッド７６を構成する導電層と同一の導電層によって遮光用導電層７７が形成され、かかる遮光用導電層７７は、発光素子３の発光中心部３ｃと平面的に重なっている。【選択図】図４
2010169850.tif 000002
【特許請求の範囲】
【請求項１】
配線基板と、
該配線基板の基板面に沿う方向に光軸を向けて前記配線基板の一方面側に実装された発光素子あるいは受光素子からなる半導体素子と、
を有し、
前記配線基板の前記一方面側には、同一の導電層によって、前記半導体素子の第１端子が実装された第１パッドと、前記半導体素子の第２端子が実装された第２パッドと、遮光用導電層と、が形成され、
前記第１パッドと前記第２パッドは、前記半導体素子の前記光軸を延長させてなる仮想中心線を挟んで配置され、
前記遮光用導電層は、前記半導体素子の発光中心部または受光中心部と平面的に重なる位置に設けられていることを特徴とする実装構造体。
【請求項２】
前記遮光用導電層の一部は、前記半導体素子と平面的に重なる領域から前記光軸が延在する方向に向けて張り出していることを特徴とする請求項１に記載の実装構造体。
【請求項３】
前記遮光用導電層は、前記半導体素子の発光中心部または受光中心部と平面的に重なる位置から、前記光軸が延在する方向と反対側に向けて延在していることを特徴とする請求項１または２に記載の実装構造体。
【請求項４】
前記遮光用導電層は、前記第１パッドと繋がっていることを特徴とする請求項１乃至３の何れか一項に記載の実装構造体。
【請求項５】
前記遮光用導電層は、前記第１パッドより狭い幅寸法をもって当該第１パッドから延在する連結部分の先端側に設けられていることを特徴とする請求項４に記載の実装構造体。
【請求項６】
前記第１パッドおよび前記遮光用導電層には、グランド電位が印加されていることを特徴とする請求項１乃至５の何れか一項に記載の実装構造体。
【請求項７】
前記半導体素子は、発光素子であることを特徴とする請求項１乃至６の何れか一項に記載の実装構造体。
【請求項８】
請求項７に記載の実装構造体を備えた照明装置であって、
前記発光素子の発光中心部に対向する側端面からなる光入射部、および当該光入射部から入射した光を前記側端面に対して交差する方向に出射する光放出面を備えた導光板が設けられていることを特徴とする照明装置。
【請求項９】
請求項８に記載の照明装置を備えた液晶装置であって、
前記照明装置から出射された光を変調して出射する液晶パネルが設けられていることを特徴とする液晶装置。
【発明の詳細な説明】
【技術分野】
【０００１】
本発明は、配線基板上に発光素子あるいは受光素子からなる半導体素子が実装された実装構造体、該実装構造体を備えた照明装置、および該照明装置をバックライト装置として備えた液晶装置に関するものである。
【背景技術】
【０００２】
透過型あるいは半透過反射型の液晶装置は、液晶パネルの裏面側に照明装置を備えており、かかる照明装置において、図８（ａ）、（ｂ）に示す発光素子３は、フレキシブル配線基板７０の第１面７１ａ側に実装された実装構造体７として用いられている。発光素子３は、光軸Ｌをフレキシブル配線基板７０の基板面に沿う方向に向けている。導光板６は、発光素子３の発光中心部３ｃに対向する側端面が光入射部６１ａとされており、光入射部６１ａから入射した光を、図８（ａ）に矢印Ｌ１で示すように、フレキシブル配線基板７０の第２面７１ｂ側と同一方向に向く光放出面６ａから出射する（特許文献１参照）。
【０００３】
かかる照明装置８において、フレキシブル配線基板７０の第１面７１ａ側には、図８（ｂ）、（ｃ）、（ｄ）に示すように、同一の導電層によって、発光素子３の第１端子３５と重なる位置に第１パッド７５が形成され、第１パッド７５に対して光軸Ｌを延長させてなる仮想中心線Ｌ０を挟んだ反対側には、発光素子３の第２端子３６と重なる位置に第２パッド７６が形成されている。
【先行技術文献】
【特許文献】
【０００４】
【特許文献１】特開２００８−９０３８号公報
【発明の概要】
【発明が解決しようとする課題】
【０００５】
しかしながら、図８（ｃ）、（ｄ）に示すフレキシブル配線基板７０では、発光素子３と平面的に重なる位置に、導電層が形成されていない領域が広く存在し、かかる領域では薄いベースフィルム７４のみが存在する。このため、図８に示す実装構造体７では、図８（ｂ）に矢印Ｌ２で示すように、フレキシブル配線基板７０のベースフィルム７４を透過しての光の漏れが大きいという問題点がある。かといって、フレキシブル配線基板７０の第２面７１ｂ側に遮光部材を重ねて配置すると、実装構造体７の厚さ寸法が大きくなるため、好ましくない。
【０００６】
ここに、本願発明者は、図９（ａ）、（ｂ）、（ｃ）、（ｄ）に示すように、フレキシブル配線基板７０において仮想中心線Ｌ０を挟む両側に、第１パッド７５および第２パッド７６と同一の導電層によって、第１遮光用導電層７７ａおよび第２遮光用導電層７７ｂを形成し、導電層が形成されていない領域を狭めることを提案するものである。
【０００７】
しかしながら、図９に示す実装構造体７でも、図９（ｂ）に矢印Ｌ２で示す光の漏れを防止することができないという結果が得られた。かかる事象を種々、検討した結果、発光素子３の発光中心部３ｃと平面的に重なる位置に遮光性を付与しない限り、ベースフィルム７４を介しての光の漏れを防止できないという新たな知見が得られた。
【０００８】
かかる事象は、発光素子３に代えて、フレキシブル配線基板７０の基板面に沿う方向に光軸を向けて受光素子を実装した場合、フレキシブル配線基板７０のベースフィルム７４を介して漏れてきた光が受光素子の受光中心部に入射してしまうという問題を惹き起こす。
【０００９】
本発明の課題は、上記の知見に基づいて、半導体素子を実装した配線基板を透過しての光の漏れを防止することのできる実装構造体、該実装構造体を備えた照明装置、および該照明装置を備えた液晶装置を提供することにある。
【課題を解決するための手段】
【００１０】
上記課題を解決するために、本発明に係る実装構造体は、配線基板と、該配線基板の基板面に沿う方向に光軸を向けて前記配線基板の一方面側に実装された発光素子あるいは受光素子からなる半導体素子と、を有し、前記配線基板の前記一方面側には、同一の導電層によって、前記半導体素子の第１端子が実装された第１パッドと、前記半導体素子の第２端子が実装された第２パッドと、遮光用導電層と、が形成され、前記第１パッドと前記第２パッドは、前記半導体素子の前記光軸を延長させてなる仮想中心線を挟んで配置され、前記遮光用導電層は、前記半導体素子の発光中心部または受光中心部と平面的に重なる位置に設けられていることを特徴とする。
【００１１】
本発明では、配線基板の一方面側には、第１パッドおよび第２パッドを構成する導電層と同一の導電層によって遮光用導電層が形成され、かかる遮光用導電層は、半導体素子の発光中心部または受光中心部と平面的に重なっている。このため、半導体素子を実装した配線基板を透過しての光の漏れを防止することができる。例えば、半導体素子として発光素子を配線基板に実装した場合、発光素子から出射された光のうち、配線基板に向かう光は、遮光用導電層で遮られるので、配線基板を透過して光が漏れることを防止することができる。従って、発光素子からは所定方向のみに光が出射される。また、半導体素子として受光素子を配線基板に実装した場合、受光素子に向かう光のうち、配線基板を透過して受光素子に到達しようとする光は、遮光用導電層で遮られるので、配線基板を透過した漏れ光が受光素子に到達することがない。それ故、所定方向から入射した光のみが受光素子で受光される。また、遮光用導電層は、配線基板の一方面側において、第１パッドおよび第２パッドを構成する導電層と同一の導電層によって形成されている。このため、配線基板の他方面側に遮光用導電層を形成した場合と比較して、配線基板において半導体素子が実装されている領域の厚さを薄くすることができる。また、配線基板の他方面側に遮光シートを重ねた場合と比較して、実装構造体において半導体素子が実装されている部分を薄くすることができる。
【００１２】
本発明において、前記遮光用導電層の一部は、前記半導体素子と平面的に重なる領域から前記光軸が延在する方向に向けて張り出していることが好ましい。このように構成すると、発光素子の発光中心部あるいは受光素子の受光中心部より光軸方向の前方部分でも、配線基板を透過しての光の漏れを防止することができる。
【００１３】
本発明において、前記遮光用導電層は、前記半導体素子の発光中心部または受光中心部と平面的に重なる位置から、前記光軸が延在する方向と反対側に向けて延在していることが好ましい。このように構成すると、発光素子の発光中心部あるいは受光素子の受光中心部より光軸方向の後方部分でも、配線基板を透過しての光の漏れを防止することができる。
【００１４】
本発明において、前記遮光用導電層は、前記第１パッドと繋がっていることが好ましい。このように構成すると、遮光用導電層とパッドとの間では、遮光用導電層と第２パッドとの間で絶縁分離を行なえばよく、遮光用導電層と第１パッドとの間では絶縁分離を行なう必要がない。それ故、第１パッドと第２パッドとによって挟まれた領域において、配線層が形成されていない領域を狭めることができるので、配線基板を透過しての光の漏れを効率よく防止することができる。
【００１５】
この場合、前記遮光用導電層は、前記第１パッドより狭い幅寸法をもって当該第１パッドから延在する連結部分の先端側に設けられていることが好ましい。配線基板に半導体素子を表面実装する場合は、第１パッドと第２パッドにクリームハンダを塗布した後、半導体素子を実装し、その後、加熱する。その際、半導体素子がハンダにより引っ張られて変位することを防止するには、第１パッドと第２パッドとを対称に形成する。かかる場合でも、遮光用導電層が第１パッドより狭い幅寸法をもって第１パッドから延在する連結部分の先端側に形成すれば、第１パッドと第２パッドの対称性を確保することができるので、半導体素子を精度よく実装することができる。
【００１６】
本発明において、前記第１パッドおよび前記遮光用導電層には、グランド電位が印加されていることが好ましい。かかる構成を採用すれば、遮光用導電層を電磁シールドに利用することができる。
【００１７】
本発明において、前記半導体素子は、例えば、発光素子である。この場合、本発明を適用した実装構造体は、照明装置に用いることができる。かかる照明装置は、前記発光素子の発光中心部に対向する側端面からなる光入射部、および当該光入射部から入射した光を前記側端面に対して交差する方向に出射する光放出面を備えた導光板が設けられている。かかる照明装置に用いる実装構造体に本発明を適用すれば、導光板以外の個所、すなわち、配線基板を透過しての光の漏れを防止することができ、所定領域のみから光が出射される照明装置を実現することができる。
【００１８】
本発明を適用した照明装置は、液晶装置に用いることができ、この場合、前記照明装置から出射された光を変調して出射する液晶パネルが設けられる。
【００１９】
本発明を適用した液晶装置は、モバイルコンピューター、携帯電話、カーナビゲーション、パーソナルコンピューターなどの電子機器に用いられる。
【図面の簡単な説明】
【００２０】
【図１】（ａ）、（ｂ）は各々、本発明の実施の形態１に係る液晶装置の斜視図、およびその分解斜視図である。
【図２】（ａ）、（ｂ）は各々、本発明の実施の形態１に係る液晶装置を図１（ａ）のＡ１−Ａ１′線、およびＢ１−Ｂ１′線に相当する位置で切断したときの様子を模式的に示す断面図である。
【図３】本発明の実施の形態１に係る液晶装置の図１（ａ）のＡ１側端部の構成を示す断面図を拡大して示す断面図である。
【図４】本発明の実施の形態１に係る実装構造体の説明図である。
【図５】本発明の実施の形態２に係る実装構造体の説明図である。
【図６】本発明の実施の形態３に係る実装構造体の説明図である。
【図７】本発明に係る液晶装置を用いた電子機器の説明図である。
【図８】従来の実装構造体の説明図である。
【図９】本発明の参考例に係る実装構造体の説明図である。
【発明を実施するための形態】
【００２１】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、図８および図９を参照して説明した構成との対向が分りやすいように、対応する部材には同一の符号を付して説明する。
【００２２】
［実施の形態１］
（液晶装置の全体構成）
図１（ａ）、（ｂ）は各々、本発明の実施の形態１に係る液晶装置の斜視図、およびその分解斜視図である。図２（ａ）、（ｂ）は各々、本発明の実施の形態１に係る液晶装置を図１（ａ）のＡ１−Ａ１′線、およびＢ１−Ｂ１′線に相当する位置で切断したときの様子を模式的に示す断面図である。
【００２３】
図１（ａ）、（ｂ）、および図２（ａ）、（ｂ）に示すように、本形態の液晶装置１００は、透過型あるいは半透過反射型の液晶パネル１と、この液晶パネル１の背面側に配置された照明装置８（バックライト装置）とを有しており、照明装置８および液晶パネル１は、平面矩形形状のフレーム９の内側に保持されている。
【００２４】
フレーム９は、矩形枠状の樹脂フレーム９１と、この樹脂フレーム９１を外側で支持する箱状の金属フレーム９２とからなる。樹脂フレーム９１と金属フレーム９２とは、インサート成形あるいはアウトサート成形により一体に形成されている。かかる構成によれば、金属フレーム９２を用いたので、フレーム９を薄型化しても高い強度を確保することができる。また、樹脂フレーム９１は、液晶パネル１に対するクッションとして機能するので、液晶パネル１の割れを防止することができる。
【００２５】
樹脂フレーム９１は４つの側壁部９１７を備えている。かかる４つの側壁部９１７のうち、フレキシブル配線基板７０の引き出し側に位置する１つの側壁部９１７ａには切り欠き９１４が形成され、残り３つの側壁部９１７ｂの内側（フレーム９の内周）には、液晶パネル１を上面で受ける段部９１１が形成されている。本形態において、段部９１１は、３つの側壁部９１７の内周に連続して形成されており、側壁部９１７ａと側壁部９１７ｂとの角部では三角部分９１２になっている。
【００２６】
金属フレーム９２は、矩形の底板部９２５と、底板部９２５の外縁で起立する４つの側板部９２７とを備えている。金属フレーム９２において、４つの側板部９２７のうち、フレキシブル配線基板７０の引き出し側に位置する１つの側板部９２７ａは、他の辺に位置する側板部９２７ｂに比して高さ寸法が低くなっている。
【００２７】
かかるフレーム９において、樹脂フレーム９１は、金属フレーム９２の内側を覆うように形成されている。従って、金属フレーム９２の側板部９２７の内面は、樹脂フレーム９１の側壁部９１７で覆われているが、側板部９２７の外面は樹脂フレーム９１で覆われていない。それ故、金属フレーム９２の側板部９２７の外面は露出した状態にある。また、樹脂フレーム９１には底板部が形成されていない。このため、金属フレーム９２の底板部９２５は、上面（内面）および下面（外面）のいずれもが樹脂フレーム９１で覆われておらず、露出した状態にある。但し、樹脂フレーム９１において、側壁部９１７ａと側壁部９１７ｂとの角部には、段部９１１から繋がる三角部分９１２が形成されており、かかる三角部分９１２は、金属フレーム９２の底板部９２５の上面（一方面）を部分的に覆っている。
【００２８】
金属フレーム９２の４つの側板部９２７のうち、側板部９２７ｂは、金属板の端部が下方に折り返された構造になっており、側板部９２７ｂは金属板が２枚重ねになっている。このため、金属フレーム９２を薄い金属板により形成してあるが、側板部９２７ｂは強度が大きい。かかる側板部９２７ｂの折り返し構造は、ヘミング加工により形成することができる。ここで、側板部９２７ｂでは、２枚の金属板が密着している構成、および隙間を介して対向している構成のいずれを採用してもよいが、本形態では、２枚の金属板の間に隙間が空いており、かかる隙間には樹脂フレーム９１を構成する樹脂が入り込んでいる。このため、樹脂フレーム９１と金属フレーム９２とは、側板部９２７ｂを構成する２枚の金属板の隙間に樹脂が入り込んでいる分、側壁部９１７ｂと側板部９２７ｂとは強固に接続されている。
【００２９】
液晶パネル１は、素子基板１１と、この素子基板１１の第１面１１ａ（一方面）に対向配置された対向基板１２と、基板周縁部で素子基板１１と対向基板１２とを貼り合わせる矩形枠状のシール材１３とを備えており、素子基板１１、対向基板１２およびシール材１３により形成された空間内に保持された液晶層１４が保持されている。素子基板１１は、対向基板１２の端部より突出する張り出し領域１８を備えている。本形態において、素子基板１１および対向基板１２はいずれも、基体がガラスなどの透光性の絶縁基板である。
【００３０】
素子基板１１において対向基板１２に対向する第１面１１ａ上には島状のＩＴＯ（Indium Tin Oxide）膜やＩＺＯ（Indium Zinc Oxide）膜からなる画素電極１６や、画素スイッチング素子、走査線やデータ線などの信号線（図示せず）などが形成され、画素電極１６を覆うようにポリイミドなどからなる配向膜（図示せず）が形成されている。本形態において、液晶パネル１は、インプレーンスイッチング（以下、ＩＰＳ(In Plane Switching)という）方式や、フリンジフィールドスイッチング（以下、ＦＦＳ（Fringe Field Switching）という）方式の液晶パネルであり、横電界により液晶層１４を駆動する。従って、素子基板１１にはＩＴＯ膜やＩＺＯ膜からなる共通電極１７も形成されている。このため、対向基板１２において素子基板１１と対向する第１面１２ａには、共通電極１７が形成されていない。ＩＰＳ方式の場合、画素電極１６と共通電極１７が横方向で対向する構成が採用され、ＦＦＳ方式の場合、画素電極１６および共通電極１７は誘電体膜を挟んで上下の異なる層に形成された構成が採用される。但し、図２（ａ）、（ｂ）などでは、ＦＦＳ方式の場合もＩＰＳ方式と同様、画素電極１６と共通電極１７が横方向で対向するように模式的に示してある。なお、対向基板１２の第１面１２ａにはカラーフィルター（図示せず）などが形成されることもある。また、液晶パネル１は、ＴＮ（Twisted Nematic）方式、ＥＣＢ（Electrically Controlled Birefringence）方式、あるいはＶＡＮ（Vertical Aligned Nematic）方式の液晶パネルとして構成される場合があり、この場合、素子基板１１に画素電極１６が形成され、対向基板１２に共通電極が形成される。
【００３１】
かかる液晶パネル１において、対向基板１２では、素子基板１１と対向する第１面１２ａとは反対側の第２面１２ｂに上偏光板４１が重ねて配置されている。素子基板１１では、対向基板１２と対向する第１面１１ａとは反対の第２面１１ｂの側に、下偏光板４２を含む複数枚の光学シート〈光学部品〉が重ねて配置されている。このように構成した液晶装置１００では、照明装置８から出射された光が素子基板１１の側から入射し、かかる入射光を光変調して対向基板１２の側から出射して画像を表示する。
【００３２】
図１（ｂ）および図２（ａ）に示すように、素子基板１１の張り出し領域１８には、駆動用ＩＣ９８が異方性導電フィルムなどにより実装されており、張り出し領域１８の端部には、多層基板あるいは両面基板からなるフレキシブル配線基板７０が接続されている。このため、外部から供給される各種信号や電源電圧を、フレキシブル配線基板７０を介して液晶パネル１に入力することができる。
【００３３】
（照明装置８の全体構成）
図３は、本発明の実施の形態１に係る液晶装置の図１（ａ）のＡ１側端部の構成を拡大して示す断面図である。
【００３４】
図１（ａ）、（ｂ）、図２（ａ）および図３に示すように、フレキシブル配線基板７０では、その本体部分７９から、幅の狭い帯状部分７２と幅の広い外部接続部分７３とが延びており、帯状部分７２の先端部には、長さ方向を液晶パネル１の幅方向に向けた光源実装部７１が形成されている。外部接続部分７３は、液晶装置１００が搭載された機器本体側との接続が行なわれる。
【００３５】
光源実装部７１の第１面７１ａには、照明装置８の光源としての複数の発光素子３が所定の間隔で実装されており、発光素子３には、フレキシブル配線基板７０を介して光源駆動用電圧が供給される。フレキシブル配線基板７０において、発光素子３が実装されている第１面７１ａ側には、表面実装型のキャパシタなどの電子部品３９も実装されている。
【００３６】
このように本形態では、発光素子３はフレキシブル配線基板７０に実装された実装構造体７として用いられている。かかる実装構造体７において、発光素子３は表面実装型の白色ＬＥＤ（Light Emitting Diode／半導体素子）であり、光源実装部７１の第１面７１ａに沿う方向に発光中心部３ａを向けている。このため、発光素子３は、フレキシブル配線基板７０の光源実装部７１の第１面７１ａに対して平行な方向に光軸Ｌを向けている。
【００３７】
照明装置８は、液晶パネル１の素子基板１１に光放出面６ａを向ける略矩形の導光板６（光学部品）と、導光板６の側端部６ｅに沿うように配置された白色ＬＥＤからなる複数の発光素子３とを有している。また、照明装置８は、導光板６において光放出面６ａとは反対側の裏面６ｂに重ねて配置された反射シート２７（光学部品）を備えている。さらに、照明装置８は、導光板６の光放出面６ａの側に、光学シート（光学部品）として、矩形状の散乱板２３、矩形状のプリズムシート２４、および矩形状のプリズムシート２５を備えている。導光板６は、発光素子３から出射された光を液晶パネル１の面内に均一に照射するためのものであり、アクリル樹脂やポリカーボネートなどの透光性材料からなる。散乱板２３は、表示画面内の光の輝度をより均一化させるためのものである。プリズムシート２４、２５は、出射光の配向角を調整し、正面の輝度を向上させるためのものである。
【００３８】
導光板６の側端部６ｅには、その辺に沿って所定の間隔に切り欠き状の光源配置穴６１が形成されており、その内壁に相当する導光板６の側端面が、発光素子３から出射された光が入射する光入射部６１ａになっている。従って、フレキシブル配線基板７０において、光源実装部７１の発光素子３が実装されている第１面７１ａが下向きとなるように帯状部分７２を折り曲げて、導光板６の側端部６ｅに光源実装部７１を重ねると、複数の発光素子３は各々、発光中心部３ａを光入射部６１ａに向けて光源配置穴６１に配置される。かかる状態を保持することを目的に、導光板６の側端部６ｅに沿っては、両面に粘着剤層が形成された遮光シート２９が貼られている。遮光シート２９には、導光板６の光源配置穴６１と平面視で重なる位置に矩形の開口部２９１が形成されている。従って、遮光シート２９の上にフレキシブル配線基板７０の光源実装部７１を重ねると、開口部２９１を介して複数の発光素子３が各々、光源配置穴６１に配置される。
【００３９】
（フレーム９への収容構造）
図１（ｂ）および図２（ａ）、（ｂ）に示すように、本形態の液晶装置１００では、液晶パネル１をフレーム９の内側に固定するにあたって、樹脂フレーム９１の側壁部９１７に形成された段部９１１によって液晶パネル１の裏面側外周縁を支持するとともに、段部９１１と液晶パネル１との間に両面テープ２８を配置する。
【００４０】
かかる両面テープ２８は、フィルム基材の両面に粘着層を備えている。このため、両面テープ２８の表面側は、液晶パネル１に接着するとともに、裏面側がフレーム９の段部９１１に接着する。従って、本形態において、下偏光板４２は、段部９１１の内周縁よりも内側に入るサイズに形成されており、下偏光板４２は、反射シート２７、導光板６、散乱板２３、プリズムシート２４、２５と同様、段部９１１の内側で液晶パネル１の裏面側に重ねて配置されている。この状態で、下偏光板４２の表面は、段部９１１と略同等の高さ位置にある。このため、液晶パネル１と下偏光板４２との間には、両面テープ２８の厚さに相当する隙間１９が形成されており、かかる隙間１９は空気層になっている。なお、隙間１９には透光性材料が充填されることもある。両面テープ２８は、厚さが５０〜６０μｍの遮光テープである。両面テープ２８は、下面側が白色あるいは銀色の反射面になっている一方、上面側は黒色の光吸収面になっている。
【００４１】
ここで、両面テープ２８は、段部９１１より幅寸法が大であり、両面テープ２８は、段部９１１からフレーム９の内側に向けて張り出した張り出し部分を備えている。かかる両面テープ２８の張り出し部分の表面側は液晶パネル１の裏面に接着し、張り出し部分の裏面は、下偏光板４２の表面側端部に接着されている。かかる構成によれば、液晶パネル１とフレーム９の段部９１１とは両面テープ２８によって直接接着されており、下偏光板４２などといった光学シートを介して接着された構成になっていない。このため、液晶パネル１の小型化や狭額縁に伴って、非表示領域や下偏光板４２のサイズが小さくなっても、液晶パネル１と両面テープ２８とを接着する領域が狭くなることはないなどの利点がある。
【００４２】
また、上記の構成に代えて、液晶パネル１の裏面に下偏光板４２を接着剤により貼り付けておき、下偏光板４２の裏面側外周縁と段部９１１との間に両面テープ２８を配置してもよい。このように構成を採用した場合、液晶パネル１は、下偏光板４２を介して段部９１１に固定されることになる。また、両面テープ２８と遮光シート２９としては同一の部材を用いることもある。
【００４３】
（実装構造体の詳細構成）
図４は、本発明の実施の形態１に係る実装構造体７の説明図であり、図４（ａ）、（ｂ）、（ｃ）、（ｄ）は各々、実装構造体７を発光素子３の側方向からみた説明図、実装構造体７を発光素子３の発光部側からみた説明図、実装構造体７に用いたフレキシブル配線基板７０において光源実装部７１に形成された導電層の平面構成を示す平面図、および光源実装部７１に発光素子３を実装した状態の平面図である。図４（ｂ）は、図４（ｄ）のＸ−Ｘ′断面に相当する。なお、図４（ａ）、（ｂ）では、図２および図３とは反対にフレキシブル配線基板７０の第１面７１ａを上側とし、第２面７１ｂを下側として示してある。
【００４４】
図４（ａ）、（ｂ）に示すように、本形態の液晶装置１００および照明装置８に用いた実装構造体７において、発光素子３は、配線基板としてのフレキシブル配線基板７０の基板面に沿う方向に光軸Ｌを向けてフレキシブル配線基板７０の第１面７１ａ側に実装されている。また、導光板６は、発光中心部３ｃに対向する側端面が光入射部６１ａとされており、光入射部６１ａから入射した光を、図４（ａ）に矢印Ｌ１で示すように、フレキシブル配線基板７０の第２面７１ｂ側と同一方向に向く光放出面６ａから出射する。
【００４５】
図４（ｂ）、（ｃ）、（ｄ）に示すように、フレキシブル配線基板７０の第１面７１ａ側には、ポリイミドなどからなるベースフィルム７４の一方面に、銅箔などの導電層によって、発光素子３の第１端子３５と重なる位置に第１パッド７５が形成され、第１パッド７５に対して光軸Ｌを延長させてなる仮想中心線Ｌ０を挟んだ反対側には、発光素子３の第２端子３６と重なる位置に第２パッド７６が形成されている。第１パッド７５はグランド電位印加用であり、第２パッド７６は駆動電位印加用である。ベースフィルム７４は厚さが２５〜３５μｍ程度であり、第１パッド７５および第２パッド７６を構成する導電層（銅箔）の厚さは２５μｍ程度である。
【００４６】
また、フレキシブル配線基板７０において、光源実装部７１の第１面７１ａ側には、第１パッド７５および第２パッド７６と同一の導電層によって、グランド配線層７８ａや、第１パッド７５および第２パッド７６に対する配線層７８ｂ、７８ｃ、７８ｄ、７８ｆが形成されている。なお、グランド配線層７８ａや配線層７８ｂ、７８ｃ、７８ｄ、７８ｆは、ポリイミドなどの表面保護層で覆われているが、表面保護層の図示は省略してある。
【００４７】
このように構成したフレキシブル配線基板７０において、第１パッド７５および配線層７８ｂ、７８ｆは、光軸Ｌを延長させてなる仮想中心線Ｌ０を中心にして、第２パッド７６および配線層７８ｃ、７８ｄと各々概ね線対称に形成されている。
【００４８】
かかる実装構造体７において、発光素子３から出射された光が、図２（ａ）、図３および図４（ｂ）に矢印Ｌ２で示すように、フレキシブル配線基板７０において導電層が形成されていない領域のベースフィルム７４を介して漏れると、漏れた光が液晶パネル１の側から出射される結果、液晶装置１００の品位を低下させる。
【００４９】
そこで、本形態の実装構造体７において、フレキシブル配線基板７０の第１面７１ａ側には、第１パッド７５および第２パッド７６と同一の導電層（銅箔）によって、略矩形の平面形状を備えた遮光用導電層７７が形成されており、かかる遮光用導電層７７は、発光素子３の発光中心部３ｃと平面的に重なっている。
【００５０】
本形態において、遮光用導電層７７の一部は、発光素子３の発光中心部３ｃと平面的に重なる領域から光軸Ｌが延在する方向に向けて張り出している。また、遮光用導電層７７は、発光素子３の発光中心部３ｃと平面的に重なる位置から、光軸Ｌが延在する方向と反対側に向けても延在している。
【００５１】
ここで、遮光用導電層７７は第１パッド７５と繋がっており、第１パッド７５と同様、グランド電位が印加される。本形態では、遮光用導電層７７と第１パッド７５とを繋げるにあたって、第１パッド７５に繋がる配線層７８ｆの途中部分を拡張させて遮光用導電層７７を形成している。このため、遮光用導電層７７は、第１パッド７５より狭い幅寸法をもって第１パッド７５から延在する連結部分７８ｅの先端側に形成された形状になっている。かかる遮光用導電層７７および連結部分７８ｅも、ポリイミドなどの表面保護層（図示せず）で覆われている。
【００５２】
なお、実装構造体７において、発光素子３から金属フレーム９２の底板部９２５（図２および図３参照）が位置する側に光が漏れても、かかる光は反射シート２７に向かうだけであるため、液晶装置１００の品位を低下させることはない。
【００５３】
（本形態の作用および主な効果）
以上説明したように、本形態の実装構造体７、照明装置８および液晶装置１００において、フレキシブル配線基板７０の第１面７１ａ側には、第１パッド７５および第２パッド７６を構成する導電層と同一の導電層によって遮光用導電層７７が形成され、かかる遮光用導電層７７は、発光素子３の発光中心部３ｃと平面的に重なっている。このため、光軸Ｌが基板面に沿うように発光素子３をフレキシブル配線基板７０に実装した際、発光素子３から出射された光のうち、フレキシブル配線基板７０に向かう光は、遮光用導電層７７で遮られるので、フレキシブル配線基板７０を透過して光が漏れることを防止することができる。従って、フレキシブル配線基板７０の第２面７１ｂ側に遮光シートなどを重ねなくても、フレキシブル配線基板７０を透過して液晶パネル１に光が漏れることがないので、液晶装置１００の薄型化を図ることができる。また、遮光用導電層７７は、フレキシブル配線基板７０の第１面７１ａ側において、第１パッド７５および第２パッド７６を構成する導電層と同一の導電層によって形成されている。このため、フレキシブル配線基板７０の第２面７１ｂ側に遮光用導電層を形成した場合と比較して、フレキシブル配線基板７０において発光素子３が実装されている領域（光源実装部７１）の厚さを薄くすることができる。また、フレキシブル配線基板７０の第２面側７１ｂに遮光シートを重ねた場合と比較して、実装構造体７において発光素子３が実装されている部分を薄くすることができ、液晶装置１００の薄型化を図ることができる。
【００５４】
また、遮光用導電層７７の一部は、発光素子３の発光中心部３ｃと平面的に重なる領域から光軸Ｌが延在する方向に向けて張り出しているため、発光素子３の発光中心部３ｃより光軸Ｌ方向の前方部分でも、フレキシブル配線基板７０を透過しての光の漏れを防止することができる。また、遮光用導電層７７は、発光素子３の発光中心部３ｃと平面的に重なる位置から、光軸Ｌが延在する方向と反対側に向けても延在しているので、発光素子３の発光中心部３ｃより光軸Ｌ方向の後方部分でも、フレキシブル配線基板７０を透過しての光の漏れを防止することができる。
【００５５】
さらに、遮光用導電層７７は第１パッド７５と繋がっている。このため、遮光用導電層７７と第２パッド７６との間で絶縁分離を行なえばよく、遮光用導電層７７と第１パッド７５との間では絶縁分離を行なう必要がない。それ故、第１パッド７５と第２パッド７６とによって挟まれた領域において、配線層が形成されていない領域を狭めることができるので、フレキシブル配線基板７０を透過しての光の漏れを効率よく防止することができる。
【００５６】
しかも、遮光用導電層７７は、グランド電位が印加される第１パッド７５に繋がっている。このため、発光素子３を所定の周波数の駆動信号で駆動する方式を採用する場合には遮光用導電層７７を電磁シールドに利用することができる。
【００５７】
また、遮光用導電層７７と第１パッド７５とを繋げるにあたって、遮光用導電層７７は、第１パッド７５より狭い幅寸法をもって第１パッド７５から延在する連結部分７８ｅの先端側に形成された形状になっている。フレキシブル配線基板７０に発光素子３を表面実装する場合は、第１パッド７５と第２パッド７６にクリームハンダを塗布した後、発光素子３を実装し、その後、加熱する。その際、発光素子３がハンダにより引っ張られて変位することを防止するには、第１パッド７５と第２パッド７６とを対称に形成する。かかる場合でも、遮光用導電層７７が第１パッド７５より狭い幅寸法をもって第１パッド７５から延在する連結部分７８ｅの先端側に形成した構造であれば、第１パッド７５と第２パッド７６の対称性を確保することができるので、発光素子３を精度よく実装することができる。
【００５８】
なお、発光素子３を定電圧あるいは定電流で駆動する場合、遮光用導電層７７は、駆動電位が印加される第２パッド７６に繋げてもよい。
【００５９】
［実施の形態２］
図５は、本発明の実施の形態２に係る実装構造体７の説明図であり、図５（ａ）、（ｂ）、（ｃ）、（ｄ）は各々、実装構造体７を発光素子３の側方向からみた説明図、実装構造体７を発光素子３の発光部側からみた説明図、実装構造体７に用いたフレキシブル配線基板７０において光源実装部７１に形成された導電層の平面構成を示す平面図、および光源実装部７１に発光素子３を実装した状態の平面図である。図５（ｂ）は、図５（ｄ）のＸ−Ｘ′断面に相当する。なお、本形態の基本的な構成は実施の形態１と同様であるため、共通する部分には同一の符号を付してそれらの説明を省略する。
【００６０】
図５（ａ）、（ｂ）に示すように、本形態の実装構造体７でも、実施の形態１と同様、発光素子３は、光軸Ｌをフレキシブル配線基板７０の基板面に沿う方向に向けてフレキシブル配線基板７０の第１面７１ａ側に実装されている。また、フレキシブル配線基板７０の第１面７１ａ側には、第１パッド７５および第２パッド７６を構成する導電層と同一の導電層によって遮光用導電層７７が形成され、遮光用導電層７７は、発光素子３の発光中心部３ｃと平面的に重なっている。
【００６１】
かかる遮光用導電層７７を構成するにあたって、実施の形態１では、遮光用導電層７７と第１パッド７５と繋げたが、本形態において、遮光用導電層７７は、第１パッド７５および第２パッド７６のいずれとも繋がっていない。かかる構成でも、発光素子３から出射された光のうち、フレキシブル配線基板７０に向かう光は、遮光用導電層７７で遮られるので、フレキシブル配線基板７０を透過して光が漏れることを防止することができるなど、実施の形態１と同様な効果を奏する。
【００６２】
［実施の形態３］
図６は、本発明の実施の形態３に係る実装構造体７の説明図であり、図６（ａ）、（ｂ）、（ｃ）、（ｄ）は各々、実装構造体７を受光素子の側方向からみた説明図、実装構造体７を受光素子の受光部側からみた説明図、実装構造体７に用いたフレキシブル配線基板７０に形成された導電層の平面構成を示す平面図、およびフレキシブル配線基板に受光素子を実装した状態の平面図である。図６（ｂ）は、図６（ｄ）のＸ−Ｘ′断面に相当する。なお、本形態の基本的な構成は実施の形態１、２と同様であるため、共通する部分には同一の符号を付してそれらの説明を省略する。
【００６３】
上記実施の形態１、２は、フレキシブル配線基板７０に発光素子３を実装した実装構造体７に本発明を適用した例であったが、図６（ａ）、（ｂ）、（ｃ）、（ｄ）に示すように、フレキシブル配線基板７０に、ＰＤ（Photo Diode）などの受光素子５（半導体素子）を実装した実装構造体７に本発明を適用してもよい。すなわち、本形態の実装構造体７において、受光素子５は、光軸Ｌをフレキシブル配線基板７０の基板面に沿う方向に向けてフレキシブル配線基板７０の第１面７１ａ側に実装されている。また、フレキシブル配線基板７０の第１面７１ａ側には、受光素子５を実装するための第１パッド７５および第２パッド７６が形成されている。かかる実装構造体７でも、実施の形態１、２と同様、フレキシブル配線基板７０の第１面７１ａ側には、第１パッド７５および第２パッド７６を構成する導電層と同一の導電層によって遮光用導電層７７が形成され、遮光用導電層７７は、受光素子５の受光中心部５ｃと平面的に重なっている。
【００６４】
かかる実装構造体７では、受光素子５に向かう光のうち、フレキシブル配線基板７０を透過して受光素子５に到達しようとする光は、遮光用導電層７７で遮られるので、フレキシブル配線基板７０を透過した漏れ光が受光素子５に到達することがない。それ故、所定方向から入射した光のみを受光素子５で受光することができる。
【００６５】
［他の実施の形態］
上記実施の形態では、実装構造体７において、配線基板としてフレキシブル配線基板７０を用いた例であったが、フレキシブル配線基板７０に代えて、剛性の配線基板を用いた実装構造体７に本発明を適用してもよい。
【００６６】
［電子機器への搭載例］
次に、上述した実施形態に係る液晶装置１００を適用した電子機器について説明する。図７（ａ）に、液晶装置１００を備えたモバイル型のパーソナルコンピューターの構成を示す。パーソナルコンピューター２０００は、表示ユニットとしての液晶装置１００と本体部２０１０を備える。本体部２０１０には、電源スイッチ２００１及びキーボード２００２が設けられている。図７（ｂ）に、液晶装置１００を備えた携帯電話機の構成を示す。携帯電話機３０００は、複数の操作ボタン３００１及びスクロールボタン３００２、並びに表示ユニットとしての液晶装置１００を備える。スクロールボタン３００２を操作することによって、液晶装置１００に表示される画面がスクロールされる。図７（ｃ）に、液晶装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての液晶装置１００を備える。電源スイッチ４００２を操作すると、住所録やスケジュール帳といった各種の情報が液晶装置１００に表示される。
【００６７】
なお、液晶装置１００が適用される電子機器としては、図７に示すものの他、デジタルスチールカメラ、液晶テレビ、ビューファインダー型、モニター直視型のビデオテープレコーダー、カーナビゲーション装置、ページャ、電子手帳、電卓、ワードプロセッサー、ワークステーション、テレビ電話、ＰＯＳ端末、銀行端末などの電子機器などが挙げられる。そして、これらの各種電子機器の表示部として、前述した液晶装置１００が適用可能である。
【符号の説明】
【００６８】
１・・液晶パネル、３・・発光素子（半導体素子）、３ｃ・・発光中心部、５・・受光素子（半導体素子）、５ｃ・・受光中心部、６・・導光板、７・・実装構造体、８・・照明装置、７０・・フレキシブル配線基板（配線基板）、７１・・光源実装部、７１ａ・・第１面、７１ｂ・・第２面、７４・・ベースフィルム、７５・・第１パッド、７６・・第２パッド、７７・・遮光用導電層、１００・・液晶装置
【図１】
2010169850.tif 000003
【図２】
2010169850.tif 000004
【図３】
2010169850.tif 000005
【図４】
2010169850.tif 000006
【図５】
2010169850.tif 000007
【図６】
2010169850.tif 000008
【図７】
2010169850.tif 000009
【図８】
2010169850.tif 000010
【図９】
2010169850.tif 000011